(57)【要約】【課題】圧縮機、アキュームレータ等の支持脚の共通化が図れ、水冷コンデンサ、レシーバタンクの設計自由度を高めたコンデンシングユニットを提供する。【解決手段】枠状に組み立てたフレーム本体１を備え、フレーム本体１の上部に支持脚１１及び支持板１８を介して圧縮機１５及びアキュームレータ１７を支持すると共に、支持部材２３を介して電装箱２１を支持し、フレーム本体１の枠内に水冷コンデンサ３３、或いはレシーバタンクを択一的に配置した。【選択図】図１
2010139104.tif 000002
【特許請求の範囲】
【請求項１】
枠状に組み立てたフレーム本体を備え、
前記フレーム本体の上部に支持脚を介して圧縮機及びアキュームレータを支持すると共に、支持部材を介して電装箱を支持し、
前記フレーム本体の枠内に水冷コンデンサ、或いはレシーバタンクを択一的に配置したことを特徴とするコンデンシングユニット。
【請求項２】
前記フレーム本体の上部の一半部に圧縮機を配置し、
他半部にアキュームレータ及び電装箱を横並びに配置したことを特徴とする請求項１に記載のコンデンシングユニット。
【請求項３】
前記水冷コンデンサの筒状本体への脚部取付けピッチと、前記レシーバタンクの筒状本体への脚部取付けピッチが同一であることを特徴とする請求項１又は２に記載のコンデンシングユニット。
【請求項４】
前記フレーム本体の上面視の投影枠内に収まるように、
水冷コンデンサ、或いはレシーバタンク、及びこれらと圧縮機、アキュームレータとを接続する配管類をまとめて配置したことを特徴とする請求項１乃至３のいずれかに記載のコンデンシングユニット。
【発明の詳細な説明】
【技術分野】
【０００１】
本発明は、冷凍・冷蔵・空調用等のコンデンシングユニットに関する。
【背景技術】
【０００２】
圧縮機及びアキュームレータを備え、これら各機器に水冷コンデンサ、或いはレシーバタンクのいずれかをセットにしたコンデンシングユニットが知られている。このコンデンシングユニットには、制御用電装箱が取り付けられている。
従来の構成では、水冷コンデンサ、或いはレシーバタンクに架台用金具が溶接され、この架台用金具に対し直接、圧縮機、アキュームレータ及び電装箱の架台が取り付けられている（例えば、特許文献１参照）。
【特許文献１】特開平７−１５１３９７号公報
【発明の開示】
【発明が解決しようとする課題】
【０００３】
しかしながら、従来の構成では、機種毎或いは出力毎（圧縮機の容量毎）に架台用金具の形状が異なるため、当該架台用金具を予め溶接した水冷コンデンサ或いはレシーバタンクを、機種毎或いは出力毎に準備しなければならず、架台用金具を含めた部品在庫が増えるという問題があった。
【０００４】
そこで、本発明の目的は、機種毎或いは出力毎に水冷コンデンサ、レシーバタンクを準備する必要がない、水冷コンデンサ、レシーバタンクの共通化を図れるコンデンシングユニットを提供することにある。
【課題を解決するための手段】
【０００５】
上記目的を達成するため、本発明は、枠状に組み立てたフレーム本体を備え、前記フレーム本体の上部に支持脚を介して圧縮機及びアキュームレータを支持すると共に、支持部材を介して電装箱を支持し、前記フレーム本体の枠内に水冷コンデンサ、或いはレシーバタンクを択一的に配置したことを特徴とする。
この発明では、枠状に組み立てたフレーム本体の上部に支持脚を介して圧縮機及びアキュームレータを支持し、フレーム本体の枠内に水冷コンデンサ、或いはレシーバタンクを択一的に配置したことから、水冷コンデンサ、或いはレシーバタンクは、少なくともフレーム本体の枠内に収まる形状であればよい。
したがって、機種毎或いは出力毎に水冷コンデンサ、レシーバタンクを準備する必要がなく、水冷コンデンサ、レシーバタンクの共通化が図れ、水冷コンデンサ、或いはレシーバタンクの設計自由度が向上する。
【０００６】
この場合において、前記フレーム本体の上部の一半部に圧縮機を配置し、他半部にアキュームレータ及び電装箱を横並びに配置してもよい。
本構成では、フレーム本体の上部に圧縮機、アキュームレータ及び電装箱がコンパクトに配置されるため、装置の小型化を図れる。
【０００７】
前記水冷コンデンサの筒状本体への脚部取付けピッチと、前記レシーバタンクの筒状本体への脚部取付けピッチが同一であってもよい。
本構成では、機種固有の金具がなく、かつ、筒状本体への脚部取付けピッチが同一であり、水冷コンデンサ及びレシーバタンクの容量が違っても、容易に載せ替えできる構成としたため、水冷コンデンサやレシーバタンクの共通化及びフレームの共通化を図れ、製造管理が容易化される。
また、前記フレーム本体の上面視の投影枠内に収まるように、前記水冷コンデンサ、或いは前記レシーバタンク、及びこれらと前記圧縮機、前記アキュームレータとを接続する配管類をまとめて配置してもよい。
本構成では、前記水冷コンデンサ、或いは前記レシーバタンク、及びこれらを接続する配管類がフレーム本体の上面視の投影枠内に収まるため、装置の小型化を図れる。
【発明の効果】
【０００８】
本発明では、フレーム本体の上部に支持脚を介して圧縮機及びアキュームレータを支持すると共に、支持部材を介して電装箱を支持し、フレーム本体の枠内に水冷コンデンサ、或いはレシーバタンクを択一的に配置したため、機種毎或いは出力毎に水冷コンデンサ、レシーバタンクを準備する必要がなく、水冷コンデンサ、レシーバタンクの共通化が図れ、その設計自由度が向上する。
【０００９】
また、フレーム本体の上部の一半部に圧縮機を配置し、他半部にアキュームレータ及び電装箱を横並びに配置したため、圧縮機、アキュームレータ及び電装箱の配置レイアウト性が向上し、装置の小型化を図れる。
本構成では、水冷コンデンサ及びレシーバタンクの容量が違っても、筒状本体への脚部取付けピッチが同一とするため、径、長さが多少変化しても載せ替えが容易（フレーム共通化）であり、製造管理が容易化される。
また、水冷コンデンサ、或いはレシーバタンク、及びこれらを接続する配管類がフレーム本体の上面視の投影枠内に収まるため、装置の小型化を図れる。
【発明を実施するための最良の形態】
【００１０】
以下、図面に基づき本発明の一実施の形態を詳述する。
図１において、１０は例えば空気調和機のコンデンシングユニットを示す。コンデンシングユニット１０は、枠状のフレーム本体（架台）１を備え、フレーム本体１は左右一対の右フレーム３、左フレーム５を備え、これら左右フレーム３，５は４隅においてＬアングル製の上下段の長手フレーム７（７Ａ，７Ｂ）で接続され、枠状となっている。
左右フレーム３，５は、図２に示すように、一本のＬアングルに切り込み１Ａを入れて、切り込み１Ａの部位において曲げ形成されている。
【００１１】
上段の長手フレーム７Ａには、図１に示すように、弾性材９が載置され、弾性材９の上に掛け渡すように２枚の平板状の支持脚１１（図３）が載置され、支持脚１１はボルト１３により長手フレーム７Ａに固定されている。支持脚１１には、４箇所の防振ゴム１４を介して圧縮機１５が支持されている。
また、上段の長手フレーム７Ａには、アキュームレータ１７が載置されている。アキュームレータ１７の下部の４箇所にはＬ字状の支持脚１９が固定され、この支持脚１９は、図３に示すように、右フレーム３と、長手フレーム７Ａ間に掛け渡された支持板１８とに対しボルト２０で固定されている。
さらに、上段の長手フレーム７Ａには、アキュームレータ１７と幅方向に横並びに電装箱２１が支持されている。
電装箱２１は支持部材２３（図１）に支持され、支持部材２３は、上記支持板１８と、同じく長手フレーム７Ａ間に掛け渡された支持板２４とに対しボルト２４で固定されている。支持部材２３には、電装箱２１と一体に、冷凍回路を構成する高低圧圧力スイッチ、リキッドインジェクション用電磁弁やメータ類２５等が支持されている。
【００１２】
フレーム本体１の内側には、図１に示すように、水冷コンデンサ３３が本体の軸線を横にして配置されている。水冷コンデンサ３３は、内部に水管路を有し、水管路に連通した入口３４Ａ及び出口３４Ｂを備えて構成されている。
水冷コンデンサ３３は筒状本体３３Ａを有し、この筒状本体３３Ａの下部には脚部２９が固定されている。この脚部２９は、図２に示すように、筒状本体３３Ａの形状に沿った湾曲凹所２９Ａを備えている。脚部２９は、図１に示すように、弾性材２７を介して、短手フレーム８Ａ，８Ｂに固定されている。短手フレーム８は、下段の長手フレーム７Ｂ間を接続するフレームであり、合計４本であり、当該脚部２９は、内側の２本の短手フレーム８Ａ，８Ｂに固定されている。
【００１３】
圧縮機１５、アキュームレータ１７及び水冷コンデンサ３３は、冷媒配管３５により接続されて冷媒回路を構成している。
上記圧縮機１５からの高圧の冷媒配管１５Ａ（図３）は、圧縮機１５の横方向に延出した後に、図１に示すように、屈曲して上段の長手フレーム７Ａの下に延出し、フレーム本体１の枠内で水冷コンデンサ３３に接続されている。水冷コンデンサ３３からの冷媒配管３５Ｂは、フィルタドライヤ３７を経て、高圧液出口３９（図３）に至る。高圧液出口３９には、図示を省略した例えば室内機が接続される。
上段に載置のアキュームレータ１７には、図示を省略した室内機が接続される低圧ガス入口３５Ｃと、低圧の吸い込み管３５Ｄとが接続され、吸い込み管３５Ｄは圧縮機１５の吸い込み側に接続されている。
【００１４】
本実施の形態では、フレーム本体１に圧縮機１５及びアキュームレータ１７を支持し、フレーム本体１の枠内に水冷コンデンサ３３を配置したため、水冷コンデンサ３３は少なくともフレーム本体１の枠内に収まる形状であればよい。従来の構成では、上述したように、架台用金具を予め溶接した水冷コンデンサ３３を、機種毎或いは出力毎に準備しなければならず、架台用金具を含めた部品在庫が増えるという問題があったが、本実施の形態では、機種毎或いは出力毎に水冷コンデンサ３３を準備する必要がなく、水冷コンデンサ３３の共通化を図ることができる。
また、フレーム本体１の上部の一半部に圧縮機１５を配置し、他半部にアキュームレータ１７及び電装箱２１を横並びに配置したため、フレーム本体１上にコンパクトにレイアウトでき、小型化を図れる。
本構成では、水冷コンデンサ３３及び当該水冷コンデンサ３３と圧縮機１５、アキュームレータ１７とを接続する配管類３５がまとめてフレーム本体１の枠内に収まるように配置されている。従って、コンパクト化が図れる。また、各種の機器１５，１７，３３，３５が、フレーム本体１の上面視の投影枠内に収まるように配置されている。これによっても、装置のコンパクト化を図れる。
【００１５】
つぎに、別仕様のコンデンシングユニットについて説明する。
上記構成では、フレーム本体１の枠内に水冷コンデンサ３３が配置されたが、この枠内には水冷コンデンサ３３に代えてレシーバタンク（不図示）の配置が可能である。フレーム本体１の枠内にレシーバタンクを配置する場合、コンデンシングユニットとは別体の例えば空冷コンデンサ（不図示）が必要になり、コンデンシングユニットには空冷コンデンサを介して室内機（不図示）が接続される。
本構成では、フレーム本体１の枠内に、仕様に応じ水冷コンデンサ３３、或いはレシーバタンク（不図示）を択一的に配置可能である。
水冷コンデンサ３３の筒状本体への脚部２９の取付けピッチと、レシーバタンクの筒状本体への脚部取付けピッチが同一に設定される。
本構成では、機種固有の金具がなく、かつ、筒状本体への脚部取付けピッチが同一であり、水冷コンデンサ及びレシーバタンクの容量が違っても、容易に載せ替えできる構成としたため、水冷コンデンサやレシーバタンクの共通化及びフレームの共通化を図れ、製造管理が容易化される。
【００１６】
別仕様の形態では、フレーム本体１に圧縮機１５及びアキュームレータ１７を支持し、フレーム本体１の枠内にレシーバタンク（不図示）を配置したため、レシーバタンクは少なくともフレーム本体１の枠内に収まる形状であればよい。従来の構成では、上述したように、架台用金具を予め溶接したレシーバタンクを、機種毎或いは出力毎に準備しなければならず、架台用金具を含めた部品在庫が増えるという問題があったが、本実施の形態では、機種毎或いは出力毎にレシーバタンクを準備する必要がなく、レシーバタンクの共通化を図ることができる。
【００１７】
本実施の形態では、フレーム本体１を備えるため、装置の現場据付が容易になる。また、フレーム本体１内に、水冷コンデンサ３３、或いはレシーバタンク、さらには冷媒配管等が収まるため、設置面積内の配管、電源線等の保護が可能になり、電源線用コンジット管の廃止が可能になる。また、圧縮機１５の交換、メンテナンスサービス時の容易化、安全性、品質の向上が図れる。
【００１８】
本実施の形態では、水冷コンデンサ３３或いはレシーバタンクを、フレーム本体１の枠内に配置したため、水冷コンデンサ３３、レシーバタンクの設計自由度が高まる。すなわち、水冷コンデンサ３３、レシーバタンクの直径や長さを、フレーム本体１の枠内に収まる限り、任意に設計変更が可能になる。
例えば水冷コンデンサ３３、レシーバタンクの設計時に、タンク長で容量調整し、同一径に設計してもよい。この場合、脚部２９の湾曲凹所２９Ａ（図２）の形状が一致するため、水冷コンデンサ３３と、レシーバタンク（不図示）とで、脚部２９の共通化を図れ、製造管理が容易化する。
【図面の簡単な説明】
【００１９】
【図１】本発明の一実施の形態を示す正面図である。
【図２】同じく端面図である。
【図３】同じく平面図である。
【符号の説明】
【００２０】
１  フレーム本体（架台）
３  右フレーム
５  左フレーム
７，７Ａ，７Ｂ  長手フレーム
８，８Ａ，８Ｂ  短手フレーム
１０  コンデンシングユニット
１１，１９  支持脚
１５  圧縮機
１７  アキュームレータ
２１  電装箱
２３  支持部材
２９  脚部
３３  水冷コンデンサ
３３Ａ  筒状本体
３５  冷媒配管
【図１】
2010139104.tif 000003
【図２】
2010139104.tif 000004
【図３】
2010139104.tif 000005